(57)【要約】【課題】撮影光学系を形成する部材において発生する熱膨張や熱収縮に起因するピントのズレを簡単な構造で抑制できるカメラを提供する。【解決手段】固体撮像素子背面に固定されて温度に応じて伸縮し、この固体撮像素子を、撮影光学系の、温度に応じて変化するピント位置を補償する方向に移動させる伸縮部材を備えた。【選択図】　　　　図２
2004147188.tif 000002
【特許請求の範囲】
【請求項１】
撮影光学系を経由して入射した被写体光を固体撮像素子上に結像させて被写体像をあらわす画像データを得るデジタルカメラにおいて、
前記固体撮像素子背面に固定されて温度に応じて伸縮し、該固体撮像素子を、前記撮影光学系の、温度に応じて変化するピント位置を補償する方向に移動させる伸縮部材を備えたことを特徴とするデジタルカメラ。
【請求項２】
前記撮影光学系は、固定焦点の撮影光学系であることを特徴とする請求項１記載のデジタルカメラ。
【発明の詳細な説明】
【０００１】
【発明の属する技術分野】
本発明は、撮影光学系を経由して入射した被写体光を固体撮像素子上に結像させて被写体像をあらわす画像データを得るデジタルカメラに関する。
【０００２】
【従来の技術】
従来より、固体撮像素子上に被写体像を結像させ、この被写体像を表わす画像データを得るデジタルカメラが知られている。
【０００３】
デジタルカメラには、撮影レンズが固定されていてフォーカシングを行なわないパンフォーカスタイプと呼ばれるもの、また、被写体までの距離に応じて、予め決められた位置に撮影レンズを移動させることでフォーカシングを行なうゾーンフォーカスタイプと呼ばれるものなどがある。
【０００４】
これらパンフォーカスタイプおよびゾーンフォーカスタイプのデジタルカメラでは、例えば、フォーカスレンズを支持するレンズ鏡胴などに温度による熱膨張、熱収縮が生じると、固体撮像素子とフォーカスレンズの間の距離が変化し、その変化が大きい場合にはピントのずれが認められる場合が考えられる。
【０００５】
そこで、レンズ鏡胴など、撮影光学系を形成する部材の熱膨張や熱収縮に起因するピントのズレを温度センサで得られた温度情報を基に決定し、決定したズレの分だけ固体撮像素子を光軸方向に移動させてピントのズレを補正しているものがある（例えば、特許文献１参照。）。
【０００６】
【特許文献１】
特開平８−１１４７３６号公報（第３頁、第１図）
【０００７】
【発明が解決しようとする課題】
しかし、上記提案では、温度を検出するための温度センサ、固体撮像素子を光軸方向に移動させるための機構を制御するための電気回路などが必要となるために構造が複雑化してしまうという問題がある。
【０００８】
本発明は、上記事情に鑑み、撮影光学系を形成する部材において発生する熱膨張や熱収縮に起因するピントのズレを簡単な構造で抑制できるカメラを提供することを目的とする。
【０００９】
【課題を解決するための手段】
上記目的を達成するための本発明のデジタルカメラは、撮影光学系を経由して入射した被写体光を固体撮像素子上に結像させて被写体像を表す画像データを得るデジタルカメラにおいて、
上記固体撮像素子背面に固定されて温度に応じて伸縮し、この固体撮像素子を、上記撮影光学系の、温度に応じて変化するピント位置を補償する方向に移動させる伸縮部材を備えたことを特徴とする。
【００１０】
本発明のデジタルカメラでは、例えば、レンズを支持する部材であるレンズ鏡胴に熱膨張あるいは熱収縮が発生することで撮影レンズの光軸上の位置が変化しても、固体撮像素子の位置もその背面に備えられた、温度変化に応じて伸縮する伸縮部材により光軸上を同じ方向に変化するために、撮影レンズと固体撮像素子の間の距離の変化が従来と比べ抑制される。したがって、本発明のデジタルカメラによれば、撮影光学系を形成する部材において発生する熱膨張や熱収縮に起因するピントのズレを簡単な構造で抑制することができる。
【００１１】
ここで、上記撮影光学系は、固定焦点の撮影光学系であってもよい。
【００１２】
このようにすると、固定焦点の撮影光学系を採用する、比較的構造が簡単なカメラにおいて、構造の簡易さを犠牲にすることなくパンフォーカスを維持することができる。
【００１３】
【発明の実施の形態】
以下、本発明のデジタルカメラの実施形態について説明する。
【００１４】
図１は、本発明のデジタルカメラの一実施形態の、斜め前方からの外観斜視図である。
【００１５】
図１には、撮影レンズと固体撮像素子の間の距離を一定に固定した固定焦点式のデジタルカメラ１が示されており、このデジタルカメラ１の前面には、長さが固定の、撮影レンズ１１１を内蔵するレンズ鏡胴１１が中央付近に、ファインダ対物窓１２が右上段（図１では左側）に、フラッシュ対物窓１３が左上段（図１では右側）に設けられている。このデジタルカメラ１の上面には、右端にレリーズボタン１０が備えられている。このデジタルカメラ１では、図１に示すファインダ対物窓１２の反対側に備えられたファインダ接眼窓（不図示）を覗いたときに視認される画角の写真撮影が、レリーズボタン１０を押下することにより行なわれる。
【００１６】
図２は、図１に示すデジタルカメラの縦断面のうちの一部を示す図である。
【００１７】
図２には、ＣＣＤ撮像素子１４、ＣＣＤ撮像素子の背面に備えられたポリエチレン製の膨縮プレート１４ａ、および、膨縮プレート１４ａをＣＣＤ撮像素子１４と共に挟むＣＣＤプレート１４ｃが示されている。膨縮プレート１４ａは、温度によって膨張したり収縮したりするプレート状のものである。
【００１８】
また、図２には、図１に示すレンズ鏡胴１１を構成する、カバー部１１ａと、ＣＣＤプレート１４ｃにネジ止めされた鏡胴土台部１１ｂと、鏡胴土台部１１ｂの内側に接着されると共に撮影レンズ１１１を支持するレンズ支持部１１ｃとが示されている。尚、鏡胴土台部１１ｂとレンズ支持部１１ｃは、上記膨縮プレート１４ａの材料であるポリエチレンよりも線膨張係数の低いポリカーボネイト製である。
【００１９】
さらに、図２には、ＣＣＤ撮像素子１４からの撮像信号が出力されるケーブル１１６、ＣＣＤ撮像素子１４と鏡胴土台部１１ｂとの間にＣＣＤ撮像素子の姿勢維持のために当接された圧縮ゴム１１３も示されている。
【００２０】
本実施形態のデジタルカメラ１では、撮影レンズ１１１を支持するレンズ支持部１１ｃ、および、このレンズ支持部１１ｃが接着されている鏡胴土台部１１ｂが温度によって膨張または縮小することで撮影レンズ１１１の光軸上の位置が変化しても、ＣＣＤ撮像素子１４の背面側に温度によって膨張したり収縮したりする膨縮プレート１４ａが備えられているため、撮影レンズ１１１と固体撮像素子１４との間の距離の変化は、この膨縮プレートが備えられていない従来と比べ抑制される。
【００２１】
したがって、本実施形態のデジタルカメラ１によれば、レンズ鏡胴など、撮影光学系を形成する部材において発生する熱膨張や熱収縮に起因するピントのズレを簡単な構造で抑制することができる。
【００２２】
尚、本実施形態では、撮影レンズと固体撮像素子の間の距離を一定に固定した固定焦点式のデジタルカメラを例に挙げて説明したが、本発明のデジタルカメラは、撮影レンズと固体撮像素子との距離を、予め決められた複数の距離のうちのいずれかに設定することでピント合わせを行なう、いわゆるゾーンフォーカス方式を採用するものであってもよく、さらには、フォーカシングをコントラスト方式ではなく、アクティブ方式で行なうものであっても本発明による効果は減却されない。
【００２３】
【発明の効果】
以上説明したように、本発明のデジタルカメラによれば、撮影光学系を形成する部材において発生する熱膨張や熱収縮に起因するピントのズレを簡単な構造で抑制することができる。
【図面の簡単な説明】
【図１】本発明のデジタルカメラの一実施形態の、斜め前方からの外観斜視図である。
【図２】図１に示すデジタルカメラの縦断面のうちの一部を示す図である。
【符号の説明】
１　デジタルカメラ
１０　レリーズボタン
１１　レンズ鏡胴
１１ａ　カバー部
１１ｂ　鏡胴土台部
１１ｃ　レンズ支持部
１１１　撮影レンズ
１２　ファインダ対物窓
１３　フラッシュ発光窓
１４　ＣＣＤ撮像素子
１４ａ　膨縮部材
１４ｃ　ＣＣＤプレート
１１３　圧縮ゴム
１１５　ネジ
１１６　ケーブル
【図１】
2004147188.tif 000003
【図２】
2004147188.tif 000004